(57)【要約】【課題】  真空容器内の汚染を低減させる。【解決手段】  真空装置の１つである走査型電子顕微鏡において、鏡筒５の外周部の一部Ａと接する孔４ａの周縁部Ｂに形成されたリング状の溝Ｍ１に、表面にイオン液体ＩＬ１が塗布されたオーリングＯ１′が篏入されており、両部材Ａ，Ｂをボルト等によって締結されることにより、オーリングＯ１′は変形し、両部材Ａ，ＢとオーリングＯ１′との接触面の周囲の空隙にイオン液体ＩＬ１を存在させた。【選択図】図６
2010073453.tif 000002
【特許請求の範囲】
【請求項１】
真空空間と他の空間との圧力差を維持するために二つの部材の界面に存在させたリング状の真空シールを備えた真空装置の真空シール方法において、該真空シールと前記部材との接触面周囲の空隙部にイオン液体を存在させることを特徴とする真空装置の真空シール方法。
【請求項２】
真空空間と他の空間との圧力差を維持するために二つの部材の界面に存在させたリング状の真空シールを備えた真空装置において、該真空シールと前記部材との接触面周囲の空隙部にイオン液体を存在させることを特徴とする真空装置。
【請求項３】
前記リング状シールはオーリングシールである請求項２の真空装置。
【請求項４】
前記真空装置は荷電粒子ビーム装置である請求項２の真空装置。
【発明の詳細な説明】
【技術分野】
【０００１】
本発明はリング状の真空シールを具備した真空シール方法及び真空装置に関する。
【背景技術】
【０００２】
観察，分析等すべき試料が置かれる真空空間、或いは、蒸着，パターン描画等が施される基板が置かれる真空空間を備えた真空装置として、例えば、電子顕微鏡や電子ビーム描画装置等の荷電粒子ビーム装置、ＣＶＤ装置や蒸着装置等の成膜装置等がある。
【０００３】
図１は、この様な真空装置の一例である走査型電子顕微鏡主要部の一概略例を示したものである。
【０００４】
図中１は試料室で、該試料室内の底壁中央部には観察すべき試料Ｓを支持する為のステージ２が設けられている。
【０００５】
この試料室の上壁３には、電子銃，集束レンズ，走査用偏向器，対物レンズ等の電子光学系素子を備えた鏡筒５が、該上壁の中央部に形成された孔４ａに嵌入されて取り付けられている。
【０００６】
又、該上壁の中央部近傍に形成された孔４ｂには、前記試料Ｓから放出された電子を検出する為の二次電子検出器６が該孔を貫通する様に取り付けられている。
【０００７】
前記試料室１の下壁７に形成された孔４ｃには、該試料室内を真空排気するための真空ポンプ８に繋がった排気管９が取り付けられている。
【０００８】
１０は前記試料室１の一方の側壁１１に隣設された予備排気室で、該予備排気室内部は、前記側壁１１に設けられた断面が長方形状の孔１２を介して、前記試料室内と繋がっている。
【０００９】
１３は仕切り弁駆動装置（図示せず）により前記孔１２の開閉を行う仕切り弁で、前記側壁１１の予備排気室１０側の面に取り付けられている。
【００１０】
前記予備排気室１０の側壁１４には外部と該予備排気室内の間で試料の出し入れが可能な孔１５が開けられており、前記側壁１４の外面には、該孔の開閉を行う為の開閉弁１６が設けられている。
【００１１】
前記予備排気室１０の下壁１７に形成された孔４ｄには、該予備排気室内を真空排気するための真空ポンプ１８に繋がった排気管１９が取り付けられている。
【００１２】
この様な構成の走査型電子顕微鏡において、前記鏡筒５内の電子銃（図示せず）からの電子ビームは前記集束レンズ（図示せず）及び対物レンズ（図示せず）により試料Ｓ上に集束され、該試料Ｓ上の所定領域が前記走査用偏向器（図示せず）により電子ビームで走査される。
【００１３】
該走査により前記試料Ｓから放出された二次電子は前記二次電子検出器６で検出され、表示装置（図示せず）の表示画面上に該検出された二次電子信号に基づく試料像が表示される。
【００１４】
尚、別の試料を観察する場合には、前記試料室１内と予備排気室１０内が高真空に排気されている状態において、前記仕切弁１３を開け、前記予備排気室１０内に設けられている試料搬入搬出機構（図示せず）により前記ステージ２に支持されている試料Ｓを前記予備排気室１０内に設けられている試料ホルダー（図示せず）に移す。そして、該試料ホルダーに支持されている別の試料を前記試料搬入搬出機構（図示せず）により前記ステージ２に移す。そして、前記仕切弁１３を閉じ、前記一連の操作を行って別の試料の二次電子像を得る。
【００１５】
この様な試料観察の操作において、前記予備排気室１０内に設けられている試料ホルダー（図示せず）に支持されている全ての試料の観察が終了したら、前記仕切弁１３を閉じ、前記予備排気室１０内をリークし、前記開閉弁１６を開け、外部に設けられている試料搬入搬出機構（図示せず）により前記試料ホルダー（図示せず）に支持されている全ての試料を外部に取り出し、新しい複数の未観察試料を前記試料ホルダー（図示せず）に支持させる。この際、試料ホルダー（図示せず）毎、交換するようにしても良い。
【００１６】
そして、前記開閉弁１６を閉じ、前記予備排気室１８内を真空ポンプ１８により高真空に排気した後、前記仕切弁１３を開け、試料搬入搬出機構（図示せず）により所定の試料を予備排気室１０内の試料ホルダー（図示せず）から前記試料室１内のステージ２に移して試料観察の操作に入る。
【００１７】
【特許文献１】特開２００６−１６４８９３号公報
【発明の開示】
【発明が解決しようとする課題】
【００１８】
さて、この様な走査型電子顕微鏡において、前記試料室１内は、前記予備排気室１０内に対し、或いは、外部に対し、高真空を保つことが出来る様に成っていなければならない。又、前記予備排気室１０内も、外部に対して高真空を保つことが出来る様に成っていなければならない。
【００１９】
その為に、図１に示す様に、前記鏡筒５の外周部と前記孔４ａの周縁部の接触部分に真空シールＶＳ１が、前記二次電子検出器６の外周部と前記孔４ｂの周縁部の接触部部分に真空シールＶＳ２が、前記排気管９の外周部と前記孔４ｃの周縁部の接触部分に真空シールＶＳ３が、前記排気管１９の外周部と前記孔４ｄの周縁部の接触部分に真空シールＶＳ４が、前記側壁１１の予備排気室側の面と接している仕切弁１３の一部分に真空シールＶＳ５が、前記側壁１４の外部側の面と接している開閉弁１６の一部分に真空シールＶＳ６が、それぞれ、設けられている。
【００２０】
図２は、前記真空シールの内、前記鏡筒５の外周部と前記孔４ａの周縁部の接触部分に設けられた真空シールＶＳ１の一具体例を示したものである。
【００２１】
図中Ａは前記鏡筒５の外周部の一部を、Ｂは該外周部と接する前記孔４ａの周縁部を示す。該外周部と接する前記孔４ａの周縁部には、リング状の溝Ｍ１が形成されており、該溝にはオーリングＯ１が篏入されている。このオーリングが、前記両部材Ａ，Ｂをボルト等（図示せず）によって締結されることにより、変形し、真空シールの働きをしている。
【００２２】
尚、前記真空シールの内、ＶＳ２，ＶＳ３，ＶＳ４は前記真空シールＶＳ１と同様の構成を成している。
【００２３】
図３は、前記側壁１１の予備排気室側の面と接している仕切弁１３の一部分に設けられた真空シールＶＳ５の一具体例を示したものである。
【００２４】
図に示す様に、前記仕切弁１３の前記側壁に接する面には、前記孔１２の縦，横の各寸法よりそれぞれ少し大きい縦，横寸法の長方形状溝Ｍ２が形成されており、該溝にはオーリングＯ２が篏入されている。このオーリングが、前記仕切弁１３が閉じられることにより、変形し、真空シールの働きをしている。
【００２５】
尚、前記真空シールＶＳ６も前記真空シールＶＳ５と同様の構成を成している。
【００２６】
この様な真空シールではオーリングがゴム系材料を使用しているので、該オーリング表面に微細な傷が存在する場合やオーリング面と接触する部材に小さな傷が存在する場合や部材とオーリングに接触する面に小さなゴミが存在する場合がある。
この場合、オーリングを挟んでいる部材の間に僅かな隙間が存在し、該隙間を通して流体が通過し、結果的に真空シールが十分に行われない。即ち、前記試料室１や予備排気室１０等の真空空間部の気密性が低下する。
【００２７】
そこで、この様なオーリングの表面に、例えば、ジェル状の真空グリスを塗布してオーリングを挟んで二つの部材間に存在する僅かな隙間を塞ぐことにより、真空シール性を向上させている。
【００２８】
しかし、この様な真空グリスは真空状態においてハイドロカーボン分子を放出し（真空度が高くなる程、ハイドロカーボン分子の放出量が多くなる）、この放出されたハイドロカーボン分子が真空空間部である試料室１や予備排気室１０内に入り込んで拡散し、該試料室内壁や予備排気室内壁、更に、試料を汚染してしまう。
【００２９】
また、室内の真空度を良くするベーキング処理を行うと、室の真空シールで使用さえている真空グリスから多量のガスが放出され、室内の真空度の低下や試料の汚染を招くために行われていなかった。
【００３０】
本発明は、この様な問題を解決する新規な真空シール方法及び真空装置を提供することを目的とするものである。
【課題を解決するための手段】
【００３１】
本発明の真空シール方法は、真空空間と他の空間との圧力差を維持するために二つの部材の界面に存在させたリング状の真空シールを備えた真空装置の真空シール方法において、該真空シールと前記部材との接触面周囲の空隙部にイオン液体を存在させることを特徴とする。
【００３２】
また、本発明の真空装置は、真空空間と他の空間との圧力差を維持するために二つの部材の界面に存在させたリング状の真空シールを備えた真空装置において、該真空シールと前記部材との接触面周囲の空隙部にイオン液体を存在させることを特徴とする。
【発明の効果】
【００３３】
本発明によれば、二つ部材の境界面にイオン液体を存在させた真空シールを設ける様にしたことで、（高）真空環境下において、真空空間の内壁や該真空空間内にセットされる試料等が汚染されず、該真空空間の気密が十分保たれる。
また、
【発明を実施するための最良の形態】
【００３４】
本発明者は、オーリングに存在する多数の穴を塞ぐことが出来且つ真空状態においてハイドロカーボン分子を発生しない物質を検討し、該検討においてイオン液体に着目した。
【００３５】
イオン液体は常温で液体の塩（常温溶融塩と呼ばれている）であり、水,有機溶媒に次ぐ第三の溶媒として注目を集めている。
【００３６】
このイオン液体はカチオン（例．イミダゾリウムカチオン，アルキルアンモニウムカチオン，アルキルホスホニウムカチオン）とアニオン（例．BF4−、PF6−、トリフレートアニオン（CF3SO3−）、イミドアニオン（(CF3SO3)2N−）、CH3COO−、CF3COO−、NO3−、(CN)2N−）を合成したもので、液体状態を保つ温度範囲が極めて広い（数百度）こと、室温で液体であるが、不揮発性・不燃性であること、イオンのみからなる液体で、高いイオン伝導度を有すること等の特徴を有する。
【００３７】
本発明者はこの様な特徴を持つイオン液体（例えば、１−エチル−３−メチルイミダゾウリウム−ビス（トリフルオロメタンスルホニル）イミド（キシダ科学株式会社製、商品名ＥＭＩ−ＴＦＳＩ））を使用して、以下の実験を試みた。
【００３８】
先ず、イオン液体をシリコンウエハ上に数滴滴下し、これを試料としてオージェマイクロプローブJAMP-9500F（日本電子（株）製）の試料室にセットした。
【００３９】
そして、該試料室内の真空度を１０−8Paまで排気し、この高真空環境下で、試料上の前記イオン液滴を含む領域を電子ビームで走査し、該走査によって発生した二次電子に基づく二次電子試料像を表示装置の表示画面上に表示させた。尚、この時、加速電圧を１５ｋV、観察倍率を４０倍とした。
【００４０】
図４は前記表示画面上に表示された二次電子像を示し、その中のＩＬは前記表示画面に表示されたイオン液滴の二次電子試料像を示している。このイオン液滴の二次電子試料像からイオン液体は（高）真空環境下であっても滴下した時の状態（ドーム状の状態）を保ち続けていることが解る。このことから、このようなイオン液体をシール材に使用すれば、例え該シール材に多数の数の穴が存在しても、（高）真空環境下において該シール材のシール性を保つことが出来ることを示唆している。
【００４１】
次に、別途、イオン液体をシリコンウエハ上に数滴滴下した試料を、真空度が５×１０‐7Ｐａ以下にある前記オージェマイクロプローブの試料室にセットした。
【００４２】
この時、例えば、前記イオン液体と同量の他の液体を高真空状態にある試料室にセットすると、該他の液体からガスが放出され、該試料室内の真空度は大幅に低下するのだが、前記イオン液体をシリコンウエハ上に数滴滴下した試料の場合には、前記試料室の真空度は何ら変化しなかった（真空度が何ら悪化しなかった）。
【００４３】
このことから、イオン液体は（高）真空環境下にあっても、何らガスを放出せず、（高）真空環境下のシール材に使用できることを示唆している。
【００４４】
次に、別途、イオン液体をシリコンウエハ上に数滴滴下した試料を前記オージェマイクロプローブの試料室にセットし、該試料室内の真空度を１０−７Pa以下まで排気し、この高真空環境下で、試料上のイオン液滴部，該液滴部から４０μｍ離れた地点（ａ点）及び該液滴部から４８０μｍ離れた地点（ｂ点）の各三箇所にそれぞれ電子ビームを照射し、該三箇所におけるオージェスペクトルを測定した。尚、この時の電子ビームの照射条件は、加速電圧が１０ｋV、照射電流が１０ｎＡであった。
【００４５】
図５は、電子ビーム照射により試料から発生したオージェ電子に基づくオージェスペクトルを示すもので、（ａ）はイオン液滴部におけるオージェスペクトル、（ｂ）は該イオン液滴部から４０μｍ離れたa地点におけるオージェスペクトル、（ｃ）は該イオン液滴部から４８０μｍ離れたｂ地点におけるオージェスペクトルである。尚、スペクトル中のピークＳは硫黄、ピークＣはカーボン、ピークＮは窒素、ピークＯは酸素、ピークＦはフッ素、ピークＳｉはシリコン成分を示す。
【００４６】
次に、前記（ａ）のスペクトルに対して、（ｂ）のスペトクルと（ｃ）のスペクトルをそれぞれ比較する。尚、イオン液の成分はＳ，Ｃ，Ｎ，Ｏ，Ｆであり、試料のベースを成すシリコンウエハの表面に酸化シリコン化している部分があるので、シリコンウエハ部分からのスペクトルには酸化シリコンに基づくＯが入ってしまい、又、試料室内に残存する炭素成分が僅かではあるがシリコンウエハの表面に付着するので、シリコンウエハ部分からのスペクトルには試料室内の残存する炭素成分に基づくＣが入ってしまう。従って、（ｂ）及び（ｃ）のスペクトルに表れるピークＣとピークＯについてはイオン液に基づくものなのかどうか分からないので、本比較はＳ，Ｎ，Ｆ（これらの成分を比較成分と称す）について行う。
【００４７】
先ず、イオン液滴部から僅かに離れたａ地点でのスペクトルにはイオン液体からの比較成分Ｓ，Ｎ，Ｆを表すピークが検出されたが、その濃度は極めて僅かであった。
【００４８】
又、イオン液滴部から遠く離れたｂ地点でのスペクトルにはイオン液体からの比較成分は全く検出されなかった。
【００４９】
これらのことから、（高）真空環境下においてイオン液体は殆ど蒸発せず、イオン液体は（高）真空環境下のシール材に使用できることを示唆している。
【００５０】
以上、三つの実験でそれぞれ示唆されたことから、（高）真空環境下において、液体状態を保ち、ガスを放出せず、蒸発を殆どしないイオン液体は、（高）真空環境下のシール材に使用できると思われる。
【００５１】
本発明は、この様な実験結果の考察に基づいて成されたもので、以下に図面に沿って本発明の実施の形態を詳細に説明する。
【００５２】
本発明の要旨は真空装置における真空シールに係るものであり、該真空シール部分の改良に関する。
【００５３】
従って、例えば、前記図１にその主要部概略を示した真空装置の一例である走査型電子顕微鏡に具備されている各真空シールに実施するものを例に上げて説明する。
【００５４】
即ち、図１に示す前記走査型電子顕微鏡において、鏡筒５の外周部と前記孔４ａの周縁部の接触部分に真空シールＶＳ１の代わりに改良された真空シールＶＳ１′が、前記二次電子検出器６の外周部と前記孔４ｂの周縁部の接触部部分に真空シールＶＳ２の代わりに改良された真空シールＶＳ２′が、前記排気管９の外周部と前記孔４ｃの周縁部の接触部分に真空シールＶＳ３の代わりに改良された真空シールＶＳ３′が、前記排気管１９の外周部と前記孔４ｄの周縁部の接触部分に真空シールＶＳ４の代わりに改良された真空シールＶＳ４′が、前記側壁１１の予備排気室側の面と接している仕切弁１３の一部分に真空シールＶＳ５の代わりに改良された真空シールＶＳ５′が、前記側壁１４の外部側の面と接している開閉弁１６の一部分に真空シールＶＳ６の代わりに改良された真空シールＶＳ６′が、それぞれ、設けられている。
【００５５】
図６は、前記改良された真空シールの内、前記鏡筒５の外周部と前記孔４ａの周縁部の接触部分に真空シールＶＳ１の代わりに設けられた改良された真空シールＶＳ１′の一具体例を示したものである。尚、図中、前記図２で使用された記号と同一記号の付されたものは同一構成要素を示す。
【００５６】
図に示す様に、前記鏡筒５の外周部の一部Ａと接する前記孔４ａの周縁部Ｂに形成されたリング状の溝Ｍ１には、表面にイオン液体ＩＬ１が塗布されたオーリングＯ１′が篏入されており、前記両部材Ａ，Ｂをボルト等（図示せず）によって締結することにより、オーリングＯ１′は変形する。イオン液体ＩＬ１はオーリングと両部材が接する面の周囲の空隙に存在し、前記両部材Ａ，Ｂの間隙Ｇ１にまで広がっている。
【００５７】
尚、前記改良された真空シールの内、ＶＳ２′，ＶＳ３′，ＶＳ４′は前記改良された真空シールＶＳ１′と同様の構成を成している。
【００５８】
図７は、前記側壁１１の予備排気室側の面と接している仕切弁１３の一部分に真空シールＶＳ５の代わりに設けられた改良された真空シールＶＳ５′の一具体例を示したものである。尚、図中、前記図３で使用された記号と同一記号の付されたものは同一構成要素を示す。
【００５９】
図に示す様に、前記仕切弁１３の前記側壁に接する面に形成された長方形状溝Ｍ２に表面にイオン液体ＩＬ２が塗布されたオーリングＯ２′が篏入されており、前記仕切弁１３が閉じられることにより、前記オーリングＯ２′は変形し、前記イオン液体ＩＬ２は前記オーリングＯ２′全体を覆う様に前記溝Ｍ２内に満たされる。
【００６０】
尚、前記改良された真空シールＶＳ６′も前記改良された真空シールＶＳ５′と同様の構成を成している。
【００６１】
この様な真空シールＶＳ１′，ＶＳ２′，ＶＳ３′，ＶＳ４′，ＶＳ５′，ＶＳ６′を備えた走査型電子顕微鏡において、試料室１は真空ポンプ８により高真空に排気され、予備排気室１０は真空ポンプ１８により高真空に排気されている。
【００６２】
この状態において、鏡筒５内の電子銃（図示せず）からの電子ビームは前記集束レンズ（図示せず）及び対物レンズ（図示せず）により試料Ｓ上に集束され、該試料Ｓ上の所定領域が前記走査用偏向器（図示せず）により電子ビームで走査される。
【００６３】
該走査により前記試料Ｓから放出された二次電子は前記二次電子検出器６で検出され、表示装置（図示せず）の表示画面上に該検出された二次電子信号に基づく試料像が表示される。
【００６４】
尚、別の試料を観察する場合には、前記試料室１内と予備排気室１０内が高真空に排気されている状態において、前記仕切弁１３を開け、前記予備排気室１０内に設けられている試料搬入搬出機構（図示せず）により前記ステージ２に支持されている試料Ｓを前記予備排気室１０内に設けられている試料ホルダー（図示せず）に移す。そして、該試料ホルダーに支持されている別の試料を前記試料搬入搬出機構（図示せず）により前記ステージ２に移す。そして、前記仕切弁１３を閉じ、前記一連の操作を行って別の試料の二次電子像を得る。
【００６５】
この様な試料観察の操作において、前記予備排気室１０内に設けられている試料ホルダー（図示せず）に支持されている全ての試料の観察が終了したら、前記仕切弁１３を閉じ、前記予備排気室１０内をリークし、前記開閉弁１６を開け、外部に設けられている試料搬入搬出機構（図示せず）により前記試料ホルダー（図示せず）に支持されている全ての試料を外部に取り出し、新しい複数の未観察試料を前記試料ホルダー（図示せず）に支持させる。この際、試料ホルダー（図示せず）毎、交換するようにしても良い。
【００６６】
そして、前記開閉弁１６を閉じ、前記予備排気室１８内を真空ポンプ１８により高真空に排気した後、前記仕切弁１３を開け、試料搬入搬出機構（図示せず）により所定の試料を予備排気室１０内の試料ホルダー（図示せず）から前記試料室１内のステージ２に移して試料観察の操作に入る。
【００６７】
この際、前記各真空シールＶＳ１´、ＶＳ２´、ＶＳ３´、ＶＳ４´、ＶＳ５´、ＶＳ６´は、オーリングと該オーリングの表面に塗布されたイオン液体から成り、少なくとも該オーリングの表面を十分にイオン液体が覆っている。
【００６８】
このイオン液体は、（高）真空環境下において、液体状態を保ち、ガスを放出せず、蒸発を殆どしないので、前記試料室１や予備排気室１０内壁や試料が汚染されず、該試料室や予備排気室内の気密が十分保たれる。
【００６９】
尚、前記例の真空装置内の真空度は室の温度を上げる、いわゆるベーキングを行い室内壁に吸着したガス分子を除去することで向上する。そのため、ベーキング温度はなるべく高い方が良い。
【００７０】
真空シールはシール材と真空グリスから構成されているが、従来、このような真空シールを備えた真空容器をベーキングすると真空グリスからガスが放出して真空度を向上させることが出来なかった。
【００７１】
本発明では、真空グリスの代わりに高温においても揮発しないイオン液体を用いているので、この真空シールを備えた真空容器をベーキングすることが出来る。即ち、例えば従来の真空グリスは真空度１０−8Ｐａで温度が２０度以上になると揮発するため、ベーキング後においても室内の真空度が向上しなかったが、本発明では３００度まで液体状態を保ち、揮発しないイオン液体を真空シールに設けている真空容器のベーキングが可能となり、ベーキング温度はシール材の耐熱温度（例えばシリコンゴム系のオーリングの場合、通常は１８０度程度）まで上げることが出来る。
【００７２】
又、前記例の走査型電子顕微鏡の前記鏡筒５内に設けられた電子ビームを遮蔽する仕切弁の真空シールに本発明を適用させても良い。
【００７３】
又、前記例のイオン液体としてトリフルオロメタンスルホニルイミドを用いたが、当然のことながらこれに限定されない。例えばピリジン系イオン液体,脂環式アミン系イオン液体,脂肪族アミン系イオン液体,種々のイオン液体等も使用可能である。
【００７４】
又、イオン液体の原液を使用しても良いし、エタノールなどの溶媒に溶かしたイオン液体を使用しても良い。
【００７５】
又、前記例では、本発明の特徴を成す真空シールを走査型電子顕微鏡の如き真空装置に適用したものを説明したが、この様な真空シールを他の真空装置（例えば、電子ビーム描画装置等の荷電粒子ビーム装置、ＣＶＤ装置や蒸着装置等の成膜装置等）にも適用出来ることは説明するまでもないことである。
【図面の簡単な説明】
【００７６】
【図１】走査型電子顕微鏡主要部の一概略例を示している。
【図２】真空シールの一具体例を示している。
【図３】真空シールの他の一具体例を示している。
【図４】イオン液滴を含む試料領域の二次電子像を示す。
【図５】イオン液滴部等のオージェスペクトルを示す。
【図６】本発明の特徴部である真空シールの一具体例を示している。
【図７】本発明の特徴部である他の真空シールの一具体例を示している。
【符号の説明】
【００７７】
１…試料室
２…ステージ
３…試料室上壁
４ａ，４ｂ，４ｃ，４ｄ…孔
５…鏡筒
６…二次電子検出器
７…試料室下壁
８,１８…真空ポンプ
９,１９…排気管
１０…予備排気室
１１…試料室側壁
１２，１５…孔
１３…仕切弁
１４…予備排気室側壁
１６…開閉弁
１７…予備排気室下壁
Ｓ…試料
ＶＳ１，ＶＳ２，ＶＳ３，ＶＳ４，ＶＳ５，ＶＳ６，ＶＳ１′，ＶＳ２′，ＶＳ３′，ＶＳ４′，ＶＳ５′，ＶＳ６′…真空シール
Ｏ１、Ｏ２…オーリング
ＩＬ…イオン液滴
Ｍ1、Ｍ２…溝
【図１】
2010073453.tif 000003
【図２】
2010073453.tif 000004
【図３】
2010073453.tif 000005
【図４】
2010073453.tif 000006
【図５】
2010073453.tif 000007
【図６】
2010073453.tif 000008
【図７】
2010073453.tif 000009